(57)【要約】【課題】カメラ等の外部の電子機器の機能を軽減するとともに、ユーザ希望する多様な合成画像を供給することを可能にする。【解決手段】（Ａ）に示すように、ユーザーから送信された被写体込み画像２０４と背景画像２０３とを受信すると、（Ｂ）に示すように、これら被写体込み画像２０４と背景画像２０３とに基づいて被写体画像Ｐ１、Ｐ２からなる被写体のみ画像２１１を切り出す。（Ｃ）に示すように、この切り出された被写体のみ画像２１１に対して、（Ｄ）に示すように、ユーザが合成を希望した有名人画像、有名キャラクタ、またはストーリ画像を合成し、この合成画像２１２をユーザの携帯端末（例：携帯電話）に送信する。これにより、合成画像２１２をユーザに迅速かつ確実に提供する。【選択図】図１１
2011019145.tif 000002
【特許請求の範囲】
【請求項１】
選択対象画像とこの選択対象画像を指定するための指定データとを対応付けて複数組記憶している記憶手段と、
この記憶手段に記憶されている複数の選択対象画像を外部の電子機器に送信するように制御する第１の送信制御手段と、
この第１の送信制御手段の制御により複数の選択対象画像が送信された後に、前記外部の電子機器から送信されてきた背景画像、当該背景画像内に被写体が存在する被写体込み動画画像、前記第１の送信制御手段の制御により送信された複数の選択対象画像の中から選択された選択対象画像に係る指定データを受信するように制御する受信制御手段と、
この受信制御手段の制御により受信された背景画像と被写体込み動画画像とから、被写体のみからなる被写体画像を切り出す切出手段と、
前記受信制御手段の制御により受信された指定データに対応する選択対象画像を前記記憶手段から読み出し、この読み出された選択対象画像と前記切出手段により切り出された被写体画像とを合成する合成手段と、
この合成手段により合成された合成画像を前記外部の電子機器に送信するように制御する第２の送信制御手段と、
を備えていることを特徴とする被写体合成画像提供装置。
【請求項２】
前記第２の送信制御手段の制御により合成画像が送信された後に、前記被写体画像に対する前記選択対象画像の配置位置の変更指示が前記外部の電子機器側からなされたら、その変更指示に従って、前記被写体画像に対する前記選択対象画像の配置位置の変更を行い、
その変更後の合成画像を前記外部の電子機器に送信するように制御する第３の送信制御手段を更に備えていることを特徴とする請求項１記載の被写体合成画像提供装置。
【請求項３】
前記受信制御手段は、複数種の前記指定データを受信するように制御することを特徴とする請求項１又は２記載の被写体合成画像提供装置。
【請求項４】
選択対象画像とこの選択対象画像を指定するための指定データとを対応付けて複数組記憶している記憶手段を有する装置が有するコンピュータを、
前記記憶手段に記憶されている複数の選択対象画像を外部の電子機器に送信するように制御する第１の送信制御手段と、
この第１の送信制御手段の制御により複数の選択対象画像が送信された後に、前記外部の電子機器から送信されてきた背景画像、当該背景画像内に被写体が存在する被写体込み動画画像、前記第１の送信制御手段の制御により送信された複数の選択対象画像の中から選択された選択対象画像に係る指定データを受信するように制御する受信制御手段と、
この受信制御手段の制御により受信された背景画像と被写体込み動画画像とから、被写体のみからなる被写体画像を切り出す切出手段と、
前記受信制御手段の制御により受信された指定データに対応する選択対象画像を前記記憶手段から読み出し、この読み出された選択対象画像と前記切出手段により切り出された被写体画像とを合成する合成手段と、
この合成手段により合成された合成画像を前記外部の電子機器に送信するように制御する第２の送信制御手段と、
して機能させることを特徴とする被写体合成画像提プログラム。
【請求項５】
選択対象画像とこの選択対象画像を指定するための指定データとを対応付けて複数組記憶している記憶手段を有する装置における被写体合成画像提供方法であって、
前記記憶手段に記憶されている複数の選択対象画像を外部の電子機器に送信するように制御する第１の送信制御ステップと、
この第１の送信制御ステップでの制御により複数の選択対象画像が送信された後に、前記外部の電子機器から送信されてきた背景画像、当該背景画像内に被写体が存在する被写体込み動画画像、前記第１の送信制御手段の制御により送信された複数の選択対象画像の中から選択された選択対象画像に係る指定データを受信するように制御する受信制御手ステップと、
この受信制御ステップでの制御により受信された背景画像と被写体込み動画画像とから、被写体のみからなる被写体画像を切り出す切出ステップと、
前記受信制御ステップでの制御により前記受信手段により受信された指定データに対応する選択対象画像を前記記憶手段から読み出し、この読み出された選択対象画像と前記切出手段により切り出された被写体画像とを合成する合成ステップと、
この合成ステップにより合成された合成画像を前記外部の電子機器に送信するように制御する第２の送信制御ステップと、
を含むことを特徴とする被写体合成画像提供方法。
【請求項６】
外部の電子機器から送信されてきた背景画像と当該背景画像内に被写体が存在する被写体込み動画画像とを受信するように制御する受信制御手段と、
この受信制御手段の制御により受信された背景画像と被写体込み動画画像とから、被写体のみからなる被写体画像を切り出す切出手段と、
この切出手段により切り出された被写体画像と予め記憶されている記憶画像とを合成する合成手段と、
この合成手段により合成された合成画像を前記外部の電子機器に送信するように制御する送信制御手段と、
を備えていることを特徴とする被写体合成画像提供装置。
【請求項７】
外部の電子機器から送信されてきた背景画像と当該背景画像内に被写体が存在する被写体込み動画画像とを受信するように制御する受信制御手段と、
この受信制御手段の制御により受信された背景画像と被写体込み動画画像とから、被写体のみからなる被写体画像を切り出す切出手段と、
この切出手段により切り出された被写体画像を前記外部の電子機器に送信するように制御する送信制御手段と、
を備えていることを特徴とする被写体画像提供装置。
【発明の詳細な説明】
【技術分野】
【０００１】
本発明は、被写体合成画像提供装置、被写体合成画像提供プログラム及び被写体合成画像提供方法に関する。
【背景技術】
【０００２】
従来から背景のみの画像と被写体込みの画像とを用いて被写体のみの被写体画像の切り出し抽出を行う画像抽出技術が知られている（例えば、特許文献１参照）。
【０００３】
この技術などを活用して、動く人物キャラクタ作成機能を備えたカメラが知られている。このカメラにおいて人物キャラクタ作成機能を用いる際には、ユーザは下記の手順で操作を行う。
（１）最初に１回目のシャッター操作を行って、動いている被写体を数秒間連写撮影する。
（２）連写撮影が終了したならば、前記動いている被写体がいない状態で、（１）の手順で撮影した際に画面上に半透明にて表示されている背景部分と現在の背景とが正しく重なるようにフレームを合わせる。
（３）この状態で２回目のシャッターを操作して、背景のみを撮影する。
【０００４】
すると、カメラ内部における画像処理により、前記（１）で数秒間連写撮影した各画像中から、切り出し処理を行って（２）の背景を除いた被写体のみの連写画像を切り出す。したがって、この切り出された被写体のみからなる連写画像（この画像を「人物キャラクタ」という）と任意の背景画像（例えば、事前に撮影した静止画像または事前にカメラ内部に記憶されている静止画像）とを合成する合成処理により、前記被写体である人物が動く人物キャラクタを任意の背景画像上で動作するという合成動画を表示することが可能となる。
【先行技術文献】
【特許文献】
【０００５】
【特許文献１】特開平１０−０２１４０８号公報
【発明の概要】
【発明が解決しようとする課題】
【０００６】
しかしながら、従来における人物キャラクタ作成の実現に際しては、前述のようにカメラ内部において、前記切り出し処理と合成処理とを実行することにより、合成画像の表示を可能とする。したがって、当該カメラは切り出し処理機能と合成処理機能とを具備する必要があり、これによりカメラの構成が複雑化したりカメラが大型化したりするなどのデメリットが生ずる。
【０００７】
また、動く人物キャラクタを合成する背景画像も当該カメラに予め記憶されている背景画像に限定されることから、各ユーザが希望する多様な合成画像を得ることができるものではなかった。
【０００８】
本発明は、かかる従来の課題に鑑みてなされたものであり、カメラ等の外部の電子機器が具備すべき機能を軽減するとともに、ユーザが希望する多様な合成画像を供給することのできる被写体合成画像提供装置、被写体合成画像提供プログラム及び被写体合成画像提供方法を提供することを目的とする。
【課題を解決するための手段】
【０００９】
前記課題を解決するために、請求項１記載の発明に係る被写体合成画像提供装置にあっては、選択対象画像とこの選択対象画像を指定するための指定データとを対応付けて複数組記憶している記憶手段と、この記憶手段に記憶されている複数の選択対象画像を外部の電子機器に送信するように制御する第１の送信制御手段と、この第１の送信制御手段の制御により複数の選択対象画像が送信された後に、前記外部の電子機器から送信されてきた背景画像、当該背景画像内に被写体が存在する被写体込み動画画像、前記第１の送信制御手段の制御により送信された複数の選択対象画像の中から選択された選択対象画像に係る指定データを受信するように制御する受信制御手段と、この受信制御手段の制御により受信された背景画像と被写体込み動画画像とから、被写体のみからなる被写体画像を切り出す切出手段と、前記受信制御手段の制御により受信された指定データに対応する選択対象画像を前記記憶手段から読み出し、この読み出された選択対象画像と前記切出手段により切り出された被写体画像とを合成する合成手段と、この合成手段により合成された合成画像を前記外部の電子機器に送信するように制御する第２の送信制御手段と、を備えていることを特徴とする。
【００１０】
また、請求項２記載の発明に係る被写体合成画像提供装置にあっては、前記合成手段は、前記第２の送信制御手段の制御により合成画像が送信された後に、前記被写体画像に対する前記選択対象画像の配置位置の変更指示が前記外部の電子機器側からなされたら、その変更指示に従って、前記被写体画像に対する前記選択対象画像の配置位置の変更を行い、その変更後の合成画像を前記外部の電子機器に送信するように制御する第３の送信制御手段を更に備えていることを特徴とする。
【００１１】
また、請求項３記載の発明に係る被写体合成画像提供装置にあっては、前記受信制御手段は、複数種の前記指定データを受信するように制御することを特徴とする。
【００１２】
また、請求項４記載の発明に係る被写体合成画像提プログラムにあっては、選択対象画像とこの選択対象画像を指定するための指定データとを対応付けて複数組記憶している記憶手段を有する装置が有するコンピュータを、前記記憶手段に記憶されている複数の選択対象画像を外部の電子機器に送信するように制御する第１の送信制御手段と、この第１の送信制御手段の制御により複数の選択対象画像が送信された後に、前記外部の電子機器から送信されてきた背景画像、当該背景画像内に被写体が存在する被写体込み動画画像、前記第１の送信制御手段の制御により送信された複数の選択対象画像の中から選択された選択対象画像に係る指定データを受信するように制御する受信制御手段と、この受信制御手段の制御により受信された背景画像と被写体込み動画画像とから、被写体のみからなる被写体画像を切り出す切出手段と、前記受信制御手段の制御により受信された指定データに対応する選択対象画像を前記記憶手段から読み出し、この読み出された選択対象画像と前記切出手段により切り出された被写体画像とを合成する合成手段と、この合成手段により合成された合成画像を前記外部の電子機器に送信するように制御する第２の送信制御手段と、して機能させることを特徴とする。
【００１３】
また、請求項５記載の発明に係る被写体合成画像提供方法にあっては、選択対象画像とこの選択対象画像を指定するための指定データとを対応付けて複数組記憶している記憶手段を有する装置における被写体合成画像提供方法であって、前記記憶手段に記憶されている複数の選択対象画像を外部の電子機器に送信するように制御する第１の送信制御ステップと、この第１の送信制御ステップでの制御により複数の選択対象画像が送信された後に、前記外部の電子機器から送信されてきた背景画像、当該背景画像内に被写体が存在する被写体込み動画画像、前記第１の送信制御手段の制御により送信された複数の選択対象画像の中から選択された選択対象画像に係る指定データを受信するように制御する受信制御手ステップと、この受信制御ステップでの制御により受信された背景画像と被写体込み動画画像とから、被写体のみからなる被写体画像を切り出す切出ステップと、前記受信制御ステップでの制御により前記受信手段により受信された指定データに対応する選択対象画像を前記記憶手段から読み出し、この読み出された選択対象画像と前記切出手段により切り出された被写体画像とを合成する合成ステップと、この合成ステップにより合成された合成画像を前記外部の電子機器に送信するように制御する第２の送信制御ステップと、を含むことを特徴とする。
【００１４】
また、請求項６記載の発明に係る被写体合成画像提供装置にあっては、外部の電子機器から送信されてきた背景画像と当該背景画像内に被写体が存在する被写体込み動画画像とを受信するように制御する受信制御手段と、  この受信制御手段の制御により受信された背景画像と被写体込み動画画像とから、被写体のみからなる被写体画像を切り出す切出手段と、この切出手段により切り出された被写体画像と予め記憶されている記憶画像とを合成する合成手段と、この合成手段により合成された合成画像を前記外部の電子機器に送信するように制御する送信制御手段と、を備えていることを特徴とする。
【００１５】
また、請求項７記載の発明に係る被写体画像提供装置にあっては、外部の電子機器から送信されてきた背景画像と当該背景画像内に被写体が存在する被写体込み動画画像とを受信するように制御する受信制御手段と、この受信制御手段の制御により受信された背景画像と被写体込み動画画像とから、被写体のみからなる被写体画像を切り出す切出手段と、この切出手段により切り出された被写体画像を前記外部の電子機器に送信するように制御する送信制御手段と、を備えていることを特徴とする。
【発明の効果】
【００１６】
請求項１、４、５に係る発明によれば、使用者端末等の外部の電子機器から送信されてきた（１）背景画像、（２）被写体込み動画画像、（３）指定データを受信すると、この受信された背景画像と被写体込み動画画像とから、被写体のみからなる被写体画像を切り出してくれる。このために、外部の電子機器は、画像の切り出し機能を持つ必要がないこととすることができる。
【００１７】
そればかりでなく、この切り出された被写体画像と受信された指定データに対応する選択対象画像とを合成し、この合成された合成画像を前記外部の電子機器に送信することができる。この結果、使用者は背景画像、被写体込み動画画像を送り、かつ、複数の選択対象画像の中から選択対象画像を選択するのみで、希望する多様な合成画像を迅速かつ確実に得ることができる。
【００１８】
また、請求項２に係る発明によれば、被写体画像に対する選択対象画像の配置位置の変更を行い、その変更後の合成画像を前記外部の電子機器に送信するので、細部に亘ってユーザの希望を取り入れた合成画像を提供することができる。
【００１９】
また、請求項３に係る発明によれば、ユーザの希望を多様に取り入れたより多様な合成画像を提供することができる。
【００２０】
請求項６に係る発明によれば、使用者端末等の外部の電子機器から送信されてきた（１）背景画像、（２）被写体込み動画画像を受信すると、この受信された背景画像と被写体込み動画画像とから、被写体のみからなる被写体画像を切り出してくれる。このために、外部の電子機器は、画像の切り出し機能を持つ必要がないこととすることができる。
【００２１】
そればかりでなく、この切り出された被写体画像と予め記憶されている記憶画像とを合成し、この合成された合成画像を前記外部の電子機器に送信することができる。この結果、使用者は背景画像、被写体込み動画画像を送るのみで、希望する多様な合成画像を迅速かつ確実に得ることができる。
【００２２】
請求項７に係る発明によれば、使用者端末等の外部の電子機器から送信されてきた（１）背景画像、（２）被写体込み動画画像を受信すると、この受信された背景画像と被写体込み動画画像とから、被写体のみからなる被写体画像を切り出してくれる。このために、外部の電子機器は、画像の切り出し機能を持つ必要がないこととすることができる。
【図面の簡単な説明】
【００２３】
【図１】本発明の一実施の形態を適用した画像送受信システム全体を示すシステム構成図である。
【図２】図２に示す画像送受信システムに用いられる管理サーバ等の構成を示すブロック図である。
【図３】図２に示す画像送受信システムに用いられる使用者端末である携帯電話の構成を示すブロック図である。
【図４】図３に示す携帯電話の処理の手順を示すフローチャートである。
【図５】同携帯電話の背景画像処理における静止画の一例を示す図である。
【図６】同携帯電話の被写体込み画像処理における被写体込み画像の一例を示す図である。
【図７】同携帯電話の処理におけるネット初期画面の画面例を示す図である。
【図８】図７に続く画面例を示す図である。
【図９】図２に示す管理サーバの処理手順を示すフローチャートである。
【図１０】同管理サーバにおける編集処理の手順を示すフローチャートである。
【図１１】（Ａ）および（Ｂ）は同管理サーバにおける編集処理の手順を示す説明図である。
【図１２】（Ａ）〜（Ｄ）は図１１に続く説明図である。
【発明を実施するための形態】
【００２４】
以下、本発明の一実施の形態を図に従って説明する。
図１は、本実施の形態に係る画像送受信システムの構成を示すブロック図である。
図において、本発明における外部の電子機器として機能する携帯電話１は、通話機能、静止画及び動画撮影機能、及び画像送受信機能を備えた使用者端末である。無線基地局２は、携帯電話１を当該携帯電話１が加入する通信サービス事業者（インターネットプロバイダを含む）４に接続する。
【００２５】
通信サービス事業者（インターネットプロバイダを含む）４は、主なサービスとして提供している携帯電話サービスに必要とする通信回路処理部４１の他、後述のＷＷＷ（インターネット）５に接続するためのシステム（Ｗｅｂサーバ４３）、メールシステム（メールサーバ４２）を備えている。また、無線基地局２をＡＰ（アクセス・ポイント）として、携帯電話１をＷＷＷ５に接続させるための機能も備えている。画像提供サービス会社６は、ＷＷＷ５に接続するためのシステム（Ｗｅｂサーバ６１）、及び管理サーバ６３を備えている。
【００２６】
図２は、前記管理サーバ６３の詳細を示すブロック図であり、前記Ｗｅｂサーバ６１は、ハブ６４を介して管理サーバ６３に接続されている。管理サーバ６３は、入力操作部（キーボード、マウス等）６３１、制御部（メインフレーム）６３２、システムプログラム記憶部６３３、画像データ管理テーブル６２、表示部６３５、及び通信制御部６３６がシステムバスにより相互に接続されたシステムである。制御部６３２はワーク用のＲＡＭ６３４を備えている。そして、登録者が操作する携帯電話１に対し有料又は無料で、データ（画像情報）を配信したり、ダウンロードしたりするなどのサービスを行う。システムプログラム記憶部６３３には、後述するフローチャートにより示すプログラム等が格納されている。
【００２７】
図３は、この実施の形態においける使用者端末としての携帯電話１の構成を示すブロック図である。
無線部１２１は、アンテナ１０３に接続されており、ＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３を有しており、無論、計時手段を有している。通信データ処理部１２２１は、ＣＥＬＰ系ボコーダ＆音声復号処理回路、パケットデータ生成回路、及びパケットデータ復元回路を含み、通信プロトコルに沿ったデータ処理を行う。
【００２８】
システムＲＯＭ１２２２には、ＯＳのような基本システムが格納されるとともに、加入者情報記憶部１２２４が設けられる。加入者情報記憶部１２２４は、基地局２とのネゴシエーションに必要となる当該携帯電話１に固有のＩＤである端末ＩＤ、加入者ＩＤ情報を記憶する。オーディオインターフェース１２２３は、通信データ処理部１２２１で処理される音声信号の入出力を行うものであって、前記スピーカ１０１、マイク１１４及び録音用マイク１１５が接続されている。なお、入力部１０４は、シャッターキー１ａ、テンキー１ｂ、インターネット接続キー１ｃ等（図１参照）で構成される。なお、シャッターキー１ａは決定キーとしての機能も兼ねるものである。
【００２９】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、当該携帯電話１内で生成される各種データ等を記憶する。プログラムＲＯＭ（ＮＡＮＤ  Ｆｌａｓｈ）１２５は、後述するフローチャートに示すプログラム、メール処理プログラム、ブラウザを格納するウェブ処理系プログラム、ＪＰＥＧ、ＭＰＥＧ（−２、−４）方式に準拠した画像圧縮／伸張処理プログラム、ユーティリティ（環境ソフト）プログラム、及びその他アプリケーションプログラムを格納し、ユーザの操作に従い、これらのプログラムを選択して制御部１２２にロードする。音源ＩＣ１２６は、報知音の波形を記憶するとともに出力するものであって、アンプ１２７は音源ＩＣ１２６からの出力を増幅し、前記報知用スピーカ１２０はこれを再生する。
【００３０】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、ＡＦ機能を備えた撮像レンズ１１８により被写体像が結像されるＣＣＤ等からなり、ＤＳＰ１２９は、この撮像デバイス１３０からの画像信号を前記シャッターキー１ａの操作や動画撮影時におけるフレームレート等に応じて処理するものである。画像記憶部１３１は、このＤＳＰ１２９が処理した静止画や動画、あるいは管理サーバ６３からダウンロードした合成画像（合成動画画像）を記憶するものである。
【００３１】
次に、図４に示す使用者端末である携帯電話（撮影・送信処理）のフローチャートに従って、以上の構成に係る実施形態の動作について説明する。
携帯電話１は、図３に示すプログラムＲＯＭ１２５に記憶されているプログラムに基づき、このフローチャートに示すように処理を実行する。
【００３２】
すなわち、電源をオンにして撮影・送信モードを設定すると、図５に示すように、メイン表示部１０２に順次撮像される画像がライブビュー表示された状態となる。この状態で、ユーザがシャッターキー１ａの１回目の操作を行うと、この操作に応答して、被写体（被写体人物）が除かれている背景を少なくとも１枚撮影し、この撮影した背景画像２０３をＤＳＰ１２９より取得する（ステップＡ１）。
【００３３】
例えば結婚披露宴において、図５に示すように、新郎新婦（被写体人物）が入場する前に、ケーキ２０１付きのテーブル２０１や複数のテーブル２０２・・・が存在するシーンを撮影する。これにより、これらテーブル２０２・・・上のケーキ２０１や複数のテーブル２０２・・・が存在するが、被写体である新郎新婦が除かれている背景画像２０３が取得される。
しかる後に、この取得した静止画である背景画像２０３を記憶処理して、ＲＡＭ１２４の背景画像エリア２０３Ａに背景画像２０３を保存する（ステップＡ２；図３参照）。
【００３４】
次に、ユーザよるシャッターキー１ａの２回目の操作を行い、この操作に応答して、所定のフレームレートで所定時間、例えば３０ｆｐｓで２０秒間、背景内において動く被写体人物が存在する被写体（人物）込みの背景を連写撮影する。これにより、この被写体込み画像２０４がＤＳＰ１２９より取得される（ステップＡ３）。
例えば、図６に示すように、披露宴の進行に伴い、前記テーブル２０２・・・上のケーキ２０１や複数のテーブル２０２・・・が存在するシーンの中に、新郎新婦Ｐ２，Ｐ１が登場してケーキカットが行われている状態を同じ撮影位置でかつ同じ角度で連写する。すると、同図に示すように、前記背景画像２０３内に新郎新婦である被写体人物Ｐ１、Ｐ２によってケーキカットを行っている状態が所定のフレームレートで所定時間連写撮影される。
そして、この所定のフレームレートで所定時間連写撮影した被写体込み画像２０４を動画画像として記憶処理し、ＲＡＭ１２４の被写体込み画像エリア２０４Ａに被写体込み画像２０４を保存する（ステップＡ４；図３参照）。
【００３５】
引き続き、ユーザによりインターネット接続キー１ｃが操作されると、基地局２、ＷＷＷ５を介して、画像提供サービス会社６内の管理サーバ６３の配信サービスサイトにアクセスし、後述するように当該配信サービスサイトから送信されてくるネット初期画面を受信し、メイン表示部１０２に表示する（ステップＡ５）。
【００３６】
このステップＡ５での処理により、携帯電話１のメイン表示部１０２には、図７に示すように、「有名人または有名キャラクタ等を１つまたは２つ、選択してください」なる文字列２０５とともに、選択区分（ａ）（ｂ）（ｃ）が表示される。
【００３７】
これら選択区分（ａ）（ｂ）（ｃ）において、選択区分（ａ）は各々異なる有名人の選択肢「有名人Ａ」「有名人Ｂ」・・・「有名人Ｚ」の顔画像で構成されている。その中は有名な「神父Ａ」「神父Ｂ」の画像が含まれている。選択区分（ｂ）は、「ケーキ付テーブル１」「ケーキ付テーブル２」の画像や「有名キャラクタ１」・・・「有名キャラクタ９９」の画像で構成されている。選択区分（ｃ）は、「ストーリ１」「ストーリ２」・・・「ストーリ９９」の各々異なる鳩が飛び出すシーンで構成されている。
【００３８】
また、各選択肢の下部には、チェックボックス２０６が付されている。そして、ユーザがいずれか１つまたは２つのチェックボックス２０６にカーソル２０７でチェックすると、制御部１２２はステップＡ５からステップＡ６に処理を進めて、前記ネット初期画面上に表示中の複数の有名人、複数のキャラクタ、複数のストーリからユーザが希望するチェックされた有名人、キャラクタまたはストーリを選択し、その選択情報である指定データを管理サーバ６３に送信する（ステップＡ６）。
【００３９】
したがって、図７に示した例においては、カーソル２０７でのチェックにより、選択区分（ａ）からは「有名人Ｂ（神父Ｂ）」が選択され、選択区分（ｂ）からは「ケーキ付きテーブル１」が選択され、選択区分（ｃ）からは「ストーリ１  鳩が飛び出すシーン１」が選択されたことから、ステップＡ６では、これら「有名人Ｂ（神父Ｂ）」の指定データと、「ケーキ付きテーブル１」の指定データと、「ストーリ１  鳩が飛び出すシーン１」の指定データとが管理サーバ６３に送信されることとなる。
【００４０】
なお、本実施の形態における記憶手段である管理サーバ６３の画像データ管理テーブル６２には、（１）選択区分（ａ）に属する選択肢「有名人Ａ」「有名人Ｂ」・・・「有名人Ｚ」の顔画像、（２）選択区分（ｂ）に属する「ケーキ付テーブル１」「ケーキ付テーブル２」のテーブル画像や「有名キャラクタ１」・・・「有名キャラクタ９９」のキャラクタ画像、（３）選択区分（ｃ）に属する「ストーリ１」「ストーリ２」・・・「ストーリ９９」の各々異なる鳩が飛び出すシーンのストーリ画像が記憶されている（図２参照）。これら、画像は例えば３０ｆｐｓで２０秒間の動画で構成されている。なお、図２に示す画像データ管理テーブル６２は、複数の有名人の画像に対応する指定データは、ＹＡ〜ＹＺまで、複数のキャラクタの画像に対応する指定データは、KＫ１〜Ｋ９９まで、および複数のストーリの画像に対応する指定データは、Ｓ１〜Ｓ９９まで記憶されている。
【００４１】
このようにして、有名人、キャラクタまたはストーリの選択情報の送信が終了すると、制御部１２２は、図８に示すように、「あなたが撮影した背景画像と被写体込み画像とを送信してください」からなる文字列２０８と、前記ステップＡ２でＲＡＭ１２４の背景画像エリア２０３Ａに記憶した背景画像２０３と、前記ステップＡ４でＲＡＭ１２４の被写体込み画像エリア２０４Ａに記憶した動画画像である被写体込み画像２０４とをメイン表示部１０２に表示させる。
これを視認したユーザは、決定キーとしての機能も兼ねるシャッターキー１ａを操作する。すると、制御部１２２はこれら被写体込み画像２０４と背景画像２０３とを管理サーバ６３に送信する（ステップＡ７）。
【００４２】
しかる後に、携帯電話１は、後述するように管理サーバ６３側から送信されてくる合成画像（動画合成画像）受信する（ステップＡ８）。さらに、携帯電話１は、後述するように受信した編集希望催促に応じた合成画像に対する編集希望を送信する（ステップＡ９）。そして、この編集希望に応じて編集された最終の合成画像２１８を受信して、画像記憶部１３１に記憶する（ステップＡ１０）。
【００４３】
他方、こうした携帯電話１と接続される管理サーバ６３は、図２に示すシステムプログラム記憶部６３３に記憶されているプログラムに基づき、図９の人物キャラクタ作成・配信処理のフローチャートに示す処理を実行する。
すなわち、前記ステップＡ５で説明したように、ユーザによりインターネット接続キー１ｃが操作されると、基地局２、ＷＷＷ５を介して、携帯電話１は、画像提供サービス会社６内の管理サーバ６３の配信サービスサイトにアクセスする。これを受けて、管理サーバ６３は、ネット初期画面配信処理を実行して、図７に示したネット初期画面を送信する（ステップＢ１）。
【００４４】
また、前記ステップＡ６の処理により、前記ネット初期画面上に表示中の複数の有名人、複数のキャラクタ、複数のストーリの中からユーザがチェックボックス２０６にカーソル２０７でチェックし、希望する有名人、キャラクタまたはストーリの画像が選択されて携帯電話１から、これらの希望有名人またはストーリの画像を指定するための指定データが送信されると、管理サーバ６３は、この希望する有名人またはストーリの画像を指定するための指定データを受信する（ステップＢ２）。
本例においては、図７に示したようにカーソル２０７でのチェックボックス２０６に対するチェックにより、
（１）「有名人Ｂ（神父Ｂ）」
（２）「ケーキ付きテーブル１」
（３）「ストーリ１  鳩が飛び出すシーン１」
の各画像が選択されたことから、これら「有名人Ｂ（神父Ｂ）」の指定データＹＢ、「ケーキ付きテーブル１」の指定データＫ２、及び「ストーリ１  鳩が飛び出すシーン１」の指定データＳ１が携帯電話１から送信される。管理サーバ６３は、これらの指定データＹＢ、Ｋ２、Ｓ１を受信する。
【００４５】
また、前記ステップＡ７での処理により、携帯電話１から被写体込み画像２０４と背景画像２０３とが送信されてくると、管理サーバ６３は、この送信されてきた被写体込み画像２０４と背景画像２０３とを受信する（ステップＢ３）。本例においては、携帯電話１から図８に示した被写体込み画像２０４と背景画像２０３とが送信されてきたことから、図１１（Ａ）に示すように、この被写体込み画像２０４と背景画像２０３とが受信されることとなる。
【００４６】
そこで、次のステップＢ４においては、管理サーバ６３は、これら受信された被写体込み画像２０４と背景画像２０３とに基づいて、動画画像である被写体込み画像２０４の各フレーム画像中から動く部分の被写体画像Ｐ１、Ｐ２を切り出す処理を実行する（図１１（Ｂ））。つまり、図１１（Ａ）に示した一連のフレーム画像で構成される被写体込み画像２０４の各フレーム画像から、背景画像２０３が示す背景部分以外の部分である被写体画像Ｐ１、Ｐ２を各々切り出す。
したがって、このステップＢ４での処理により、図１１（Ｃ）に示すように、被写体画像Ｐ１，Ｐ２からなる新郎新婦が切り出された複数のフレーム画像からなる被写体のみ画像２１１が生成される。
【００４７】
よって、本実施の形態によれば、従来のようにカメラ内部（携帯電話１内部）において、前記切り出し処理と合成処理とを実行する必要がなく、これによりカメラの構成が複雑化したりカメラが大型化したりするデメリットを解消することができる。
【００４８】
続くステップＢ５では、管理サーバ６３は、合成記憶処理を実行し、前記生成した被写体のみ画像２１１と、ユーザが希望した有名人、キャラクタ、またはストーリの画像とを合成した後、この合成画像を画像データ管理テーブル６２に記憶させる。
つまり、ステップＡ３で説明したように、携帯電話１から送信されてくる被写体込み動画画像２０４は、３０ｆｐｓで２０秒間の長さであるから、前記被写体のみ画像２１１も３０ｆｐｓで２０秒間の長さである。また、管理サーバ６３の画像データ管理テーブル６２に記憶されている合成用の画像データも３０ｆｐｓで２０秒間の長さである。
また、前述のように、管理サーバ６３の画像データ管理テーブル６２に記憶されている選択区分（ａ）（ｂ）（ｃ）に属する各画像データも３０ｆｐｓで２０秒間の動画データで構成されている。
【００４９】
したがって、３０ｆｐｓで２０秒間の長さからなる被写体のみ画像２１１の各フレームと、選択された「有名人Ｂ（神父Ｂ）」、「ケーキ付きテーブル１」、「ストーリ１  鳩が飛び出すシーン１」のフレーム数とは同一数の「３０×２０＝６００フレーム」であるので、フレーム毎に合成することにより、合成動画を生成することができる。
【００５０】
よって、本実施の形態によれば、動く人物キャラクタを合成する画像も当該カメラに予め記憶されている画像に限定されることがなく、各ユーザが希望する多様な合成画像を得ることができる。
【００５１】
なお、このときの被写体のみ画像２１１に対する「有名人Ｂ（神父Ｂ）」、「ケーキ付きテーブル１」、「ストーリ１  鳩が飛び出すシーン１」の合成位置は、図１１（Ｄ）に示すように、フレームの下部に羅列合成するだけでよい。
【００５２】
このようにして、管理サーバ６３は、合成した動画を生成したならば、この合成画像とともに、編集希望受領画面を携帯電話１に送信する（ステップＢ６）。図１１（Ｄ）は、この編集希望受領画面を示す図である。
図示の場合は、フレーム２１２内に「あなたが合成を希望した有名人、キャラクタなどです。これらを画面のどの位置に配置しますか。カーソルを用いて希望する場所有名人などを移動して指定して下さい」からなる編集希望催促２１３と、選択された合成要素２１４、２１５、１２６とを有する編集希望受領画面を示す。
【００５３】
そして、この画面を受信した携帯電話１から、前記ステップＡ９での処理により編集希望が送信されると、この編集希望を受信した後（ステップＢ７）、この受信した編集希望に応じた編集処理を実行する（ステップＢ８）。
【００５４】
図１０は、このステップＢ８の編集希望に応じた編集処理の詳細を示すフローチャートである。
まず、管理サーバ６３は、前記携帯電話１から受信した編集希望において前記合成要素２１４、２１５、１２６配置位置変更が指示されたか否かを判断する（ステップＢ８１）。
たとえば、図１２（Ａ）に示すように、ユーザーの操作にかかるカーソル２０７の指示によって、合成要素２１５である「鳩が飛び出すシーン１」の配置位置の変更が上方位置Ｊ１から左下方位置Ｊ２への指示がなされている場合には、当該指示に従って合成要素２１５の配置位置を変更し、この変更後の配置位置において、合成要素２１５と被写体のみ画像２１１との合成処理を実行する。また、図１２（Ｂ）に示すように、ユーザーの操作にかかるカーソル２０７の指示によって、合成要素２１４である「有名人（Ｂ）（神父Ｂ）」の配置位置の変更が上方位置から左下方位置Ｊ３への指示がなされている場合には、当該指示に従って合成要素２１４の配置位置を変更し、この変更後の配置位置において、合成要素２１４と被写体のみ画像２１１との合成処理を実行する。他の合成要素２１６についても配置位置の変更が指示されている場合には、当該指示に従って他の合成要素２１６の配置位置を変更し、この変更後の配置位置において、他の合成要素２１６と被写体のみ画像２１１との合成処理を実行する（ステップＢ８２）。
【００５５】
これにより、図１２（Ｂ）に示すように、新郎新婦である被写体画像Ｐ１，Ｐ２が切り出された複数のフレーム画像からなる被写体のみ画像２１１の周囲の位置に、合成要素２１４、２１５、１２６を配置した編集後の合成画像を生成することができ、多様に編集した画像を合成することができる。
【００５６】
また、ステップＢ８２の処理を完了したならば、再度ステップＢ８１からの処理が実行された際に、ステップＢ８１からステップＢ８３に進み、被写体画像Ｐ１，Ｐ２の間の間隔調整がユーザーにより実行されたか否かを判断する。この被写体画像Ｐ１，Ｐ２の間の間隔調整は、たとえば、被写体画像Ｐ１，Ｐ２上に、ユーザーの操作にかかるカーソル２０７を移動させ、被写体画像Ｐ１，Ｐ２の間の間隔を離す、または狭める操作が行われたかを判断することにより行う。
【００５７】
被写体画像のＰ１，Ｐ２の間の間隔調整がユーザにより実行されたと判断したならば、各被写体画像Ｐ１、Ｐ２の間の距離を、ユーザにより指定されている任意の距離に変更する（ステップＢ８４）。これにより、人物キャラクタとなる被写体画像Ｐ１、Ｐ２間の距離をユーザの希望に応じて任意に伸長または短縮させた動画を合成することができる。
【００５８】
また、ステップＢ８４の処理を完了したならば、再度ステップＢ８１からの処理が実行された際に、ステップＢ８３からステップＢ８５に進み、吹き出しコメントの挿入が指示されたか否かを判断する（ステップＢ８５）。吹き出しコメントの挿入が指示されたならば、この指示とともに携帯電話１から送信された吹き出しコメントを指定された位置に合成する（ステップＢ８６）。これにより、図１２（Ｂ）に示すように、「私たち軽井沢会館で結婚しました  Ｈ２１／６／６」なる吹き出しコメント２１７が合成された合成画像（動画）を創作することができる。
【００５９】
また、吹き出しコメントが選択されない場合には、指示されたその他の編集に基づくその他の合成処理を実行する（ステップＢ８７）。これにより、図１２（Ｂ）に示すように、被写体画像Ｐ１，Ｐ２からなる新郎新婦２０４が切り出された複数のフレーム画像からなる被写体のみ画像の所望の位置に、合成要素２１４、２１５、１２６を配置し、吹き出しコメント２１７が合成された最終の合成画像２１８を創作することができる。
【００６０】
しかる後に、ユーザ希望の編集処理を全て終了したか否かを判断し（ステップＢ８８）、終了してない場合には、ステップＢ８１に戻る。したがって、ステップＢ８１からの処理が繰り返されることにより、ユーザの希望を多様に取り入れた多様な合成画像を創作することができる。
【００６１】
そして、編集を終了したならば記憶処理を行って、前記最終の合成画像２１８を画像データ管理テーブル６２に記憶させ（ステップＢ８９）、図９のメインルーチンにリターンする。
【００６２】
すると、図９のメインルーチンにおいて、管理サーバ６３は、ステップＢ８に続くステップＢ９で最終の合成画像送信処理を実行し、図１２（Ｂ）に示した最終の合成画像２１８を携帯電話１に送信し、処理を終了する。したがって、携帯電話１は、これを受けて、前述のようにステップＡ１０で、最終の合成画像２１８を受信して、画像記憶部１３１に記憶する。
【００６３】
よって、携帯電話１側においては、シャッターキー１ａを操作して撮影し、その後希望の編集指示を送信するという簡単なキー操作により、動画である最終の合成画像２１８をメイン表示部１０２に表示させて、観賞することができる。
【００６４】
なお、この実施の形態の場合、一連の被写体込みの動画画像と背景画像とから、被写体のみからなる被写体画像Ｐ１、Ｐ２を切り出し、この切り出された被写体画像Ｐ１、Ｐ２を人物キャラクタとして合成画像を作成するようにしているが、被写体画像Ｐ１、Ｐ２が動物の場合は、動物の被写体を動物キャラクタとして作成してもよい。さらに、被写体画像Ｐ１、Ｐ２が自動車等の動く物体画像の場合は、物体の被写体を物体キャラクタとして作成してもよい。
【００６５】
また、この実施の形態の場合、図１１（Ａ）に示すように、ユーザーの外部電子機器から送信された被写体込み画像２０４と背景画像２０３とを受信すると、図１１（Ｂ）に示すように、これら被写体込み画像２０４と背景画像２０３とに基づいて被写体画像Ｐ１、Ｐ２からなる被写体のみ画像２１１を切り出す。図１１（Ｃ）に示すように、この切り出された被写体のみ画像２１１に対して、図１１（Ｄ）に示すように、ユーザが合成を希望した有名人画像、有名キャラクタ、またはストーリ画像を合成し、図１２（Ｂ）に示すように、この合成画像２１２をユーザの携帯端末（例：携帯電話）に送信し、これにより、合成画像２１２をユーザに迅速かつ確実に提供するようにしているが、外部の電子機器から送信されてきた背景画像と当該背景画像内に被写体が存在する被写体込み動画画像とを受信すると、この受信された背景画像と被写体込み動画画像とから、被写体のみからなる被写体画像を切り出し、この切り出された被写体画像と予め記憶されている記憶画像（たとえば、ＲＯＭに事前に用意されている有名人画像、有名キャラクタ、またはストーリ画像）とを合成し、この合成された合成画像を前記外部の電子機器に送信するように制御するようにしてもよい。
【符号の説明】
【００６６】
１    携帯電話
１ａ    シャッターキー
１ｂ    テンキー
１ｃ    インターネット接続キー
４１    通信回路処理部
４２    メールサーバ
４３    Ｗｅｂサーバ
６１    Ｗｅｂサーバ
６２    画像データ管理テーブル
６３    管理サーバ
１０２    メイン表示部
１０３    アンテナ
１０４    入力部
１１８    撮像レンズ
１１９    フラッシュ用ＬＥＤ
１２１    無線部
１２２    制御部
１２４    ＲＡＭ
１２５    プログラムＲＯＭ
１２８    表示モジュール系ドライバ
１２９    ＤＳＰ
１３０    撮像デバイス
１３１    画像記憶部
６３２    制御部
６３３    システムプログラム記憶部
６３４    ＲＡＭ
６３５    表示部
６３６    通信制御部
１２２１    通信データ処理部
１２２２    システムＲＯＭ
【図１】
2011019145.tif 000003
【図２】
2011019145.tif 000004
【図３】
2011019145.tif 000005
【図４】
2011019145.tif 000006
【図５】
2011019145.tif 000007
【図６】
2011019145.tif 000008
【図７】
2011019145.tif 000009
【図８】
2011019145.tif 000010
【図９】
2011019145.tif 000011
【図１０】
2011019145.tif 000012
【図１１】
2011019145.tif 000013
【図１２】
2011019145.tif 000014